(57)【要約】ユーザへの広告（１００）の配信のためのシステム及び方法について開示している。広告及びメディアコンテンツアイテムの特徴的な特徴の値が決定される（２０１，２０３）。広告及びメディアコンテンツアイテムの特徴の値の比較が行われる（２０５）。広告は、その比較にしたがって、ユーザへの配信のために選択される（２０７）。個別の広告及びメディアコンテンツアイテムは特徴の一部又は全てにおいて比較され（３０１）、又は個別の特徴についてのメディアコンテンツアイテム全てに対して比較される（４０１）。記憶されているメディアコンテンツアイテムが高い共通性を示す重要な特徴が特定され（５００）、比較はそれらの重要な特徴のみについて行われる。‘仮想’メディアコンテンツアイテムが、記憶されているメディアコンテンツアイテムを表す特徴の値により生成され（６０３）、広告はその‘仮想’メディアコンテンツアイテムと比較される（６０５）。
2008523439.tif 000002
【特許請求の範囲】
【請求項１】
メディアコンテンツを配信し、ユーザに広告するための装置であって：
メディアコンテンツアイテムの収集を記憶することが可能であるメディアコンテンツ記憶装置；
広告の収集を記憶する広告サーバに接続することが可能であるインターフェース；
前記ユーザに前記広告を配信することが可能であるレンダリング装置；及び
前記メディアコンテンツ記憶装置、前記インターフェース及び前記レンダリング装置に結合されている広告選択器であって、
前記のメディアコンテンツアイテムにおける複数のメディアコンテンツアイテムの複数の特徴についての値を決定し、
前記の広告の収集における複数の広告の対応する複数の特徴についての値を決定し、そして
前記レンダリング装置を介して前記ユーザへの配信のために前記複数の広告の１つを選択する、
ことが可能である、広告選択器；
を有する、装置であり、
前記広告は、前記メディアコンテンツアイテムと前記広告の前記の決定された特徴の値との間の比較にしたがって、選択される；
装置。
【請求項２】
請求項１に記載の装置であって、前記広告選択器は、
前記広告の１つ及び前記メディアコンテンツアイテムの１つの各々の対について、広告−アイテム類似性指標を生成し、そして
前記広告−アイテム類似性指標にしたがって前記複数の広告の前記１つを選択する、
ことが更に可能である、装置。
【請求項３】
請求項２に記載の装置であって、前記広告選択器は、
前記特徴についての前記広告の前記値と前記特徴についての前記メディアコンテンツアイテムの前記値との間の類似性を表す、前記特徴の各々についての特徴類似性指標を演算し、そして
前記広告−アイテム類似性指標を生成するように前記特徴類似性指標を組み合わせる、
ことにより前記広告−アイテム類似性指標を生成することが更に可能である、装置。
【請求項４】
請求項１に記載の装置であって、前記広告選択器は、
前記広告と前記特徴についての前記メディアコンテンツアイテムとの間の類似性を表す、前記広告の各々の前記特徴の各々についての広告−特徴類似性指標を生成し、そして
前記広告−特徴類似性指標にしたがって前記複数の広告の前記１つを選択する、
ことが更に可能である、装置。
【請求項５】
請求項４に記載の装置であって、前記広告選択器は、
前記特徴についての前記広告の前記値と前記特徴についての前記メディアコンテンツアイテムの前記値との間の類似性を表す、前記メディアコンテンツアイテムの各々についてのアイテム類似性指標を演算し、そして
前記広告−特徴類似性指標を生成するように前記アイテム類似性指標を組み合わせる、
ことにより前記広告−特徴類似性指標を生成することが更に可能である、装置。
【請求項６】
請求項３に記載の装置であって、前記広告選択器は、
前記特徴についての前記メディアコンテンツアイテムの前記値の間の類似性を表す、前記特徴の各々についての特徴共通性指標を演算し、そして
前記特徴共通性指標にしたがって１つ又はそれ以上の重要な特徴を選択し、
前記１つ又はそれ以上の重要な特徴のみについて前記特徴類似性指標を演算する
ことが更に可能である、装置。
【請求項７】
請求項１に記載の装置であって、前記広告選択器は、
前記特徴についての前記メディアコンテンツアイテムの前記値を表す、各々の特徴についての複合特徴値を決定し、
前記広告の各々の前記特徴の各々についての特徴類似性指標を生成し、
前記特徴についての前記広告の前記値と前記特徴についての前記の表された複合特徴値との間の類似性を表し、そして
前記特徴類似性指標にしたがって前記複数の広告の前記１つを選択する、
ことが更に可能である、装置。
【請求項８】
請求項７に記載の装置であって、前記広告選択器は、
前記広告についての前記特徴類似性指標を組み合わせることにより前記広告の各々についての複合類似性指標を生成し、
前記複合類似性指標にしたがって前記複数の広告の前記１つを選択する、
装置。
【請求項９】
ユーザに広告を配信するためのシステムであって：
広告の収集を記憶する広告サーバ；
メディアコンテンツアイテムの収集を記憶することが可能であるメディアコンテンツ記憶装置；及び
前記ユーザに前記広告を配信することが可能である、レンダリング装置と、処理器であって、
前記のメディアコンテンツアイテムの収集における複数のメディアコンテンツアイテムの複数の特徴についての値を決定し、
前記の広告の収集における複数の広告の対応する複数の特徴についての値を決定し、そして
前記メディアコンテンツアイテムの前記特徴の値と前記広告の前記特徴の値との間の比較にしたがって前記複数の広告の１つを前記レンダリング装置を介して前記ユーザに配信する、
ように動作する、処理器、を前記メディアコンテンツ記憶装置及び前記広告サーバに結合されているメディアコンテンツ及び広告装置；
を有するシステム。
【請求項１０】
請求項９に記載のシステムであって、前記処理器は、
前記広告の１つ及び前記メディアコンテンツアイテムの１つの各々の対について、広告−アイテム類似性指標を生成し、そして
前記広告−アイテム類似性指標にしたがって前記複数の広告の前記１つを配信する、
ことが更に可能である、システム。
【請求項１１】
請求項１０に記載のシステムであって、前記処理器は、
前記特徴についての前記広告の前記値と前記特徴についての前記メディアコンテンツアイテムの前記値との間の類似性を表す、前記特徴の各々についての特徴類似性指標を演算し、そして
前記広告−アイテム類似性指標を生成するように前記特徴類似性指標を組み合わせる、
ように、前記広告−アイテム類似性指標の生成において、作動する、システム。
【請求項１２】
請求項９に記載のシステムであって、前記処理器は、
前記広告と前記特徴についての前記メディアコンテンツアイテムとの間の類似性を表す、前記広告の各々の前記特徴の各々についての広告−特徴類似性指標を生成し、そして
前記広告−特徴類似性指標にしたがって前記複数の広告の前記１つを配信する、
ように更に作動する、システム。
【請求項１３】
請求項１２に記載のシステムであって、前記処理器は、
前記特徴についての前記広告の前記値と前記特徴についての前記メディアコンテンツアイテムの前記値との間の類似性を表す、前記メディアコンテンツアイテムの各々についてのアイテム類似性指標を演算し、そして
前記広告−特徴類似性指標を生成するように前記アイテム類似性指標を組み合わせる、
ように、前記広告−特徴類似性指標の生成において、作動する、システム。
【請求項１４】
請求項１１に記載のシステムであって、前記処理器は、
前記特徴についての前記メディアコンテンツアイテムの前記値の間の類似性を表す、前記特徴の各々についての特徴共通性指標を演算し、そして
前記特徴共通性指標にしたがって１つ又はそれ以上の重要な特徴を選択し、
前記１つ又はそれ以上の重要な特徴のみについて前記特徴類似性指標を演算する、
ように更に作動する、システム。
【請求項１５】
請求項９に記載のシステムであって、前記処理器は、
前記特徴についての前記メディアコンテンツアイテムの前記値を表す、各々の特徴についての複合特徴値を決定し、  
前記広告の各々の前記特徴の各々についての特徴類似性指標を生成し、
前記特徴についての前記広告の前記値と前記特徴についての前記表された複合特徴値との間の類似性を表し、そして
前記特徴類似性指標にしたがって前記複数の広告の前記１つを配信する、
ように更に作動する、システム。
【請求項１６】
請求項１５に記載のシステムであって、前記処理器は、
前記広告についての前記特徴類似性指標を組み合わせることにより前記広告の各々についての複合類似性指標を生成し、
前記複合類似性指標にしたがって前記複数の広告の前記１つを配信する、
ように更に作動する、システム。
【請求項１７】
メディアコンテンツアイテムの収集及び広告の収集へのアクセスを有するメディア配信装置で用いるように、ユーザに広告を配信するための方法であって：
前記のメディアコンテンツアイテムにおける複数のメディアコンテンツアイテムの複数の特徴についての値を決定する段階；
前記の広告の収集における複数の広告の対応する複数の特徴についての値を決定する段階；及び
前記メディアコンテンツアイテムの前記の決定された特徴の値と前記広告の前記の決定された特徴の値との間の比較にしたがって前記複数の広告の１つを前記ユーザに配信する段階；
を有する方法。
【請求項１８】
請求項１７に記載の方法であって、前記配信する段階は：
前記広告の１つ及び前記メディアコンテンツアイテムの１つの各々の対について、広告−アイテム類似性指標を生成する段階；並びに
前記広告−アイテム類似性指標にしたがって前記複数の広告の前記１つを選択する段階；
を有する、方法。
【請求項１９】
請求項１８に記載の方法であって、前記の広告−アイテム類似性指標を生成する段階は：
前記特徴についての前記広告の前記値と前記特徴についての前記メディアコンテンツアイテムの前記値との間の類似性を表す、前記特徴の各々についての特徴類似性指標を演算する段階；及び
前記広告−アイテム類似性指標を生成するように前記特徴類似性指標を組み合わせる段階；
を有する、方法。
【請求項２０】
請求項１７に記載の方法であって、前記配信する段階は：
前記広告と前記特徴についての前記メディアコンテンツアイテムとの間の類似性を表す、前記広告の各々の前記特徴の各々についての広告−特徴類似性指標を生成する段階；及び
前記広告−特徴類似性指標にしたがって前記複数の広告の前記１つを選択する段階；
を有する、方法。
【請求項２１】
請求項２０に記載の方法であって、前記の広告−特徴類似性指標を生成する段階は：
前記特徴についての前記広告の前記値と前記特徴についての前記メディアコンテンツアイテムの前記値との間の類似性を表す、前記メディアコンテンツアイテムの各々についてのアイテム類似性指標を演算する段階；及び
前記広告−特徴類似性指標を生成するように前記アイテム類似性指標を組み合わせる段階；
を有する、方法。
【請求項２２】
請求項１９に記載の方法であって、前記配信する段階は：
前記特徴についての前記メディアコンテンツアイテムの前記値の間の類似性を表す、前記特徴の各々についての特徴共通性指標を演算する段階；及び
前記特徴共通性指標にしたがって１つ又はそれ以上の重要な特徴を選択する段階；
を更に有する、方法であり、
前記特徴類似性指標を演算する段階は前記１つ又はそれ以上の重要な特徴のみについての類似性指標を演算する；
方法。
【請求項２３】
請求項１７に記載の方法であって、前記配信する段階は：
前記特徴についての前記メディアコンテンツアイテムの前記値を表す、各々の特徴についての複合特徴値を決定する段階；
前記広告の各々の前記特徴の各々についての特徴類似性指標を生成する段階；
前記特徴についての前記広告の前記値と前記特徴についての前記表された複合特徴値との間の類似性を表す段階；及び
前記特徴類似性指標にしたがって前記複数の広告の前記１つを選択する段階；
を有する、方法。
【請求項２４】
請求項２３に記載の方法であって、前記選択する段階は：
前記広告についての前記特徴類似性指標を組み合わせることにより前記広告の各々についての複合類似性指標を生成する段階；及び
前記複合類似性指標にしたがって前記複数の広告の前記１つを選択する段階；
を有する、方法。
【発明の詳細な説明】
【技術分野】
【０００１】
本発明は、広告を配信するためのシステム及び方法に関し、更に詳細には、媒体コンテンツアイテムの収集及び広告の収集へのアクセスを有する媒体配信装置において広告を配信するためのシステム及び方法に関する。
【背景技術】
【０００２】
メディアコンテンツの消費者は、メディアコンテンツアイテムの収集を記憶するための能力を有するメディア配信装置を益々使用するようになってきている。そのような装置は、可搬式（例えば、ＭＰ３プレーヤ又は携帯情報端末（ＰＤＡ））又は固定式（例えば、パーソナルコンピュータ、又はディジタルビデオレコーダを有するテレビジョンセットトップボックス）であることが可能である。そのようなメディア配信装置がまた、ネットワーキング能力を有する場合、それらの装置はまた、装置のユーザへの表現のための広告を受け入れることが可能である。
【０００３】
多くのそのような広告は、一般公衆を目標とし、ユーザに興味をもたれない可能性がある。その結果、そのような広告は、広告化されたプロダクト又はサービスに対するユーザの興味を引くことでは効果がない可能性がある。
【０００４】
従来の広告配信システムにおいては、記憶されているユーザの好みのプロファイルにしたがったユーザへの表示について、広告を選択することによりこの問題点を解決する試みがなされてきた。そのようなプロファイルは、代表的には、２つの方法の一において生成されている。一の種類のシステムにおいては、ユーザは、そのシステムによる‘インタビュー’を受けるように要求され、アイテムの選択がユーザに提示され、それらの選択の中からのユーザの選択はユーザのプロファイルを生成するように分析される。この方法は、ユーザが、広告システムを訓練するため（ユーザが時間の無駄と考える処理のため）に必要な時間を掛けることが必要である。
【０００５】
他の種類のシステムにおいては、広告システムは、ユーザが放送メディア（例えば、テレビ番組）の中から行う選択の同一性を記録し、記録されているデータからユーザプロファイルを構築する。そのようなシステムは、適切に目的を定めた広告を提示することができる前に、ユーザのある観察期間を必要とする。ユーザプロファイルはまた、ユーザの番組選択に後に反映される何れの興味の変化から遅れてしまう。
【０００６】
それ故、広告が消費者の興味に適切に及び即座に目標を定める、メディアコンテンツ消費者に広告を配信するシステム及び方法についての要請が、当該技術分野において存在している。
【発明の開示】
【課題を解決するための手段】
【０００７】
本発明は、一般に、広告とユーザのメディア配信装置に記憶されているメディアコンテンツとの間の類似性にしたがって、配信のための広告を選択するためのシステム及び方法を有する。
【０００８】
本発明の有利な実施形態においては、メディアコンテンツを配信し、ユーザに広告を示す装置は、メディアコンテンツアイテムの収集及び広告サーバへの接続のためのインターファースのための記憶装置を有する。その装置はまた、メディアコンテンツアイテムの幾つかの特徴とサーバにおける広告を比較する広告選択器を有する。その選択器は、その場合、その比較の結果に基づいて、ユーザに配信する広告を選択する。
【０００９】
本発明の第１の目的は、消費者の興味に目標を定める、メディアコンテンツ消費者への広告を配信することである。
【００１０】
本発明の他の目的は、個別の広告を個別に記憶されているメディアコンテンツアイテムと比較し、その比較に基づいてユーザへの配信のための広告を選択する、メディアコンテンツ及び広告配信装置を提供することである。
【００１１】
本発明の他の目的は、幾つかの特徴の各々について、群としてメディアコンテンツアイテムの収集に対する各々の広告の比較に基づいて、配信のために広告を選択する配信装置を提供することである。
【００１２】
本発明の他の目的は、記憶されているメディアコンテンツアイテムの収集の特徴についての値を表す複数の特徴についての値を有する、‘仮想’メディアコンテンツアイテムを生成する配信装置を提供することである。その装置は、その場合、各々の広告を仮想’メディアコンテンツアイテムと比較し、その比較に基づいて、ユーザへの配信のための広告を選択する。
【００１３】
上記は、当業者が、下記の本発明の詳細説明を適切に理解できるように、本発明の特徴及び技術的有利点について大雑把に概要を述べたものである。本発明の特許請求の範囲の主題を構成する本発明の付加的特徴及び有利点については、下で詳述する。当業者は、本発明の同じ目的を達成するための他の構造を修正する又は設計するための基本として開示されている概念及び特定の実施形態を容易に使用することが可能であることを理解する必要がある。当業者はまた、そのような構成は、広く網羅している本発明の範囲及び主旨から逸脱するものではないことを理解する必要がある。
【００１４】
本発明の詳細説明に取り掛かる前に、本発明の明細書を通して用いられる特定の用語及び表現の定義について説明することは有利である。用語“を有する”及びその派生語は、制限なしに含むことを意味し、用語“又は”は包含的であり、“及び／又は”を意味し、表現“関連する”及びその派生表現は、有する、内部接続する、接続する、結合する、通信する、協働する、インターリーブする、並列する、近接する、結合している、特徴を有する等を意味し、用語“制御器”、“処理器”又は“機器”は、少なくとも１つの動作を制御する何れの装置、システム又はそれらの一部を意味し、そのような装置は、ハードウェア、ファームウェア、ソフトウェア又はそれらの少なくとも２つの組み合わせにおいて実施されるものである。何れの特定の制御器に関連する機能は、局所的に又は遠隔的に拘わらず、集中させる又は分散させることが可能であることに留意する必要がある。特定の用語及び表現の定義は、この明細書を通して与えられ、当業者は、多くの場合、殆どを例においてではないが、そのような定義は、そのような定義された用語及び表現の将来及び過去のものに適用されることを、当業者は理解する必要がある。
【００１５】
本発明及びその有利点についての更なる十分な理解のために、ここで、以下の図に関連付けている詳細説明を参照する。図においては、同じ参照番号は同じ構成要素を表している。
【発明を実施するための最良の形態】
【００１６】
図１は、例示としての広告配信システム１００のブロック図である。配信システム１００は、広告サーバ１０５及びメディアコンテンツ記憶装置１０７に結合されたメディアコンテンツ及び広告配信装置１０１を有することが可能である。配信装置１０１は、インターフェース１１１及び記録装置１１３に結合している処理器１０９を有することが可能である。処理器１０９は、インターフェース１１１及び接続１１９を介して広告サーバ１０５と通信するように作動可能である。処理器１０９はまた、接続１２１を介してメディアコンテンツ記憶装置１０７と通信するように作動可能である。
【００１７】
配信システム１００のユーザ１０３は、レンダリング装置１１３によりレンダリングされるように広告を知覚することが可能である。広告がビジュアルである場合、レンダリング装置はディスプレイ装置であることが可能である。広告がオーディオである場合、レンダリング装置はスピーカ又はイヤホーンであることが可能である。広告がオーディオ−ビジュアルである場合、レンダリング装置は、ディスプレイ装置及びスピーカ又はイヤホーンであることが可能である。
【００１８】
例示としての広告サーバ１０５は、広告１１５の収集を記憶するように作動可能である。メディアコンテンツ記憶装置１０７は、メディアコンテンツアイテム１１７の収集を記憶するように作動可能である。ユーザ１０３は、レンダリング装置１１３によりレンダリングされるように又は代替のレンダリング装置（図示せず）によりレンダリングされるようにメディアコンテンツアイテムを知覚することが可能である。
【００１９】
本発明の一実施形態においては、配信装置１０１は、内部記憶装置に記憶されているメディアコンテンツアイテム１１７の収集を有し、無線接続１１９において広告サーバ１０５に接続されている携帯情報端末（ＰＤＡ）であることが可能である。そのような実施形態においては、メディアコンテンツアイテム１１７の収集は、ＭＰ３、ＷＡＶ又は他の適切なオーディオファイルフォーマットにある楽曲又は他のオーディオメディアコンテンツであることが可能である。代替として又は付加的に、メディアコンテンツアイテム１１７の収集は、ＪＰＥＧ、ＭＰＥＧ又は他の適切なファイルフォーマットにある画像であることが可能である。
【００２０】
他の実施形態においては、配信装置１０１はセットトップボックスであることが可能であり、そして、メディアコンテンツ記憶装置は内部の又は外部のディジタルビデオレコーダ（ＤＶＲ）であることが可能である。そのようなＶＤＲは、記録された放送送信又はダウンロードされたビデオコンテンツを有するビデオファイルとしてメディアコンテンツアイテム１１７の収集を記憶することが可能である。そのような実施形態においては、配信装置１０１は、ケーブルＴＶ配信システム又は電話システム接続のような有線接続１１９を介して広告サーバ１０５に結合されることが可能である。接続１１９はインターネットにおけるものであることが可能であり、又は直接の２点間接続であることが可能である。
【００２１】
本発明の他の実施形態においては、広告１１５の収集は、配信装置１０１に内部に記憶され、広告の外部ソース（図示せず）に配信装置１０１の接続により、ときどき更新又は変更されることが可能である。代替として、広告サーバ１０５は、直接放送衛星システムにおける接続１１９を介して配信装置１０１に広告１１５の収集における個別の広告を流すことが可能である。
【００２２】
記憶装置１０７に記憶されているメディアコンテンツアイテム１１７の収集のフォーマット（オーディオ、ビデオ、静止ピクチャ）に拘わらず、広告サーバ１０５から検索され、ユーザ１０３に配信された広告１１５の収集は、レンダリング装置１１３によりレンダリングされることが可能である何れのフォーマットを有することが可能である。配信システム１００により配信される広告のフォーマットは、本発明の範囲から逸脱することなく、記憶装置１０７に記憶されているメディアコンテンツアイテムのフォーマットと異なることが可能である。
【００２３】
広告１１５の収集における個別の広告及びメディアコンテンツアイテム１１７の収集における個別のメディアコンテンツアイテムの両方は、特徴的な特徴にしたがって表現されることが可能である。そのような特徴の例には、コンテンツの種類、コンテンツの様式／ジャンル、創作者、出演者及び創作データがある。
【００２４】
コンテンツの種類又はメディアコンテンツアイテムは、そのメディア（ビデオ、静止画像、オーディオ等）又はそのファイルの種類（ＭＰＧ、ＷＭＶ、ＪＰＧ、ＷＡＶ、ＭＰ３等）であることが可能である。コンテンツの種類／ジャンルの特徴は、休日、景色、ジャズ、ホラー、ウェスタン等のコンテンツの表現であることが可能である。創作者の特徴は、映画又は楽曲のプロデューサ又はディレクタ、若しくは、静止画像の写真家を表すことが可能である。出演者の特徴は、メディアコンテンツアイテムにおいて出演している、又は広告化されているプロダクト又はサービスに関連する俳優又はミュージシャンを指定することが可能である。創作データの特徴は、創作時間、創作の場所、ダウンロードのソースなどである。当業者は、広告及びメディアコンテンツアイテムの他の表現が、本発明の範囲から逸脱することのない特徴として用いられることが可能であることが分かるであろう。
【００２５】
ここで、図２を参照するに、広告１１５の収集からの広告の選択及び配信に後続するように広告配信システム１００のための一連の段階を示している。段階２０１においては、配信システム１００は、メディアコンテンツアイテム１１７の収集におけるメディアコンテンツアイテムの一部又は全てについての複数の特徴の各々についての値を決定する。それらの値は、処理器１０９又はメディアコンテンツ記憶装置１０７により決定されることが可能である。段階２０３においては、対応する複数の特徴についての値は、広告１１５の収集における広告の一部又は全てについて決定される。この決定は、処理器１０９、インターフェース１１１又は広告サーバ１０５により実行されることが可能である。
【００２６】
それらの値についての特徴は段階２０１及び２０３において決定され、対応するように選択され、それ故、段階２０５においては、複数の広告及びメディアコンテンツアイテムについて、決定された値が、配信システム１００のユーザ１０３への配信のために広告を選択するように、有意味に比較されることが可能である。選択された広告は、次いで、段階２０７において、ユーザ１０３に配信される。段階２０５及び２０７は処理器１０９により実行されることが可能である。特徴の値を比較するための種々の技術が、本発明の範囲から逸脱することなく、検討されることが可能である。
【００２７】
段階２０５における配信のための広告の選択についての例示としての処理３００について、図３に示している。段階３０１においては、段階２０３で考慮された各々の広告と段階２０１で考慮された各々のメディアコンテンツアイテムとの間の特徴の値の類似性の測定が行われる。類似性の度合いは、例えば、強い、普通又は弱い、のようなカテゴリとして表されることが可能である。又は、類似性は、数値、例えば、数字０乃至１０を用いる数値として表されることが可能である。ユーザ１０３に配信される広告は、次いで、広告の組み合わせとメディアコンテンツアイテムとの間のそれらの測定された類似性にしたがって、段階３０３で選択される。
【００２８】
処理３００の一実施形態においては、広告とメディアコンテンツアイテムとの間の類似性は、段階３０５に示されているように、段階２０１及び２０３で決定された特徴の値の一部又は全ての各々について個別に演算されることが可能である。それらの演算された個別の特徴の類似性は、次いで、段階３０７において、広告とメディアアイテムとの間の類似性の指標を生成するように組み合わされることが可能である。
【００２９】
特徴の類似性が数値で表される場合、段階３０７において生成された類似性の指標は、単純な算術平均であることが可能であり、又は重み付けされた平均であることが可能である。特徴の類似性がカテゴリで表される場合、類似性の指標は、当該技術分野で既知であるように、ファジー論理アルゴリズムにより生成されることが可能である。広告とメディアコンテンツアイテムについての演算された個別の特徴の類似性を組み合わせるための他の技術については、本発明の範囲から逸脱することなく、当業者により理解されるであろう。
【００３０】
段階３０７において、類似性の指標を生成するようにどのような方法が用いられようと、組み合わされた指標への個別の特徴の影響は、それらを組み合わせるのに先行してそれらの特徴の類似性を重み付けすることにより変えられることが可能である。各々の特徴に適用される重み付けは、ユーザ１０３についての記憶されているプロファイルにより決定されることが可能である。代替として又は付加的に、その重み付けは、比較のコンテキストにより影響され得る。このコンテキストの重み付けはまた、記憶されている値にしたがった多かれ少なかれ重み付けた与えられたコンテキストの属性を伴う、記憶されているユーザプロファイルにおけるデータにより制御されることが可能である。例示としてのコンテキストの属性には、比較が成される日の日付又は時間、現天候、及び広告又はメディアコンテンツアイテムの使用履歴がある。他の関連コンテキスト属性については、当業者は理解できるであろう。
【００３１】
段階３０３においては、最も大きい数のメディアコンテンツアイテムに対する最も大きい指標の類似性を有する広告が配信のために選択されることが可能である。本発明の他の実施形態においては、段階２０１で考慮された複数のメディアコンテンツアイテムに対する広告の類似性の複合指標を生成するように、考慮下にある全てのメディアコンテンツアイテムにおける広告についての類似性測定が組み合わされる。類似性の最も大きい複合指標を有する広告が、その場合、配信のために選択されることが可能である。
【００３２】
代替として、メディアコンテンツアイテムの所定の最小値又は割合が選択され、少なくともその多くのアイテムに類似する広告が特定されることが可能である。その複数の広告の１つが、その場合、段階３０３において配信のために選択されることが可能である。この選択は、ランダムな選択により、複数の広告のどれが最長時間未配信であるかを決定することにより。又は当業者に知られている他の技術により行われることが可能である。
【００３３】
ここで、図４を参照するに、段階２０５において配信のために広告を選択するための例示としての処理４００が与えられている。段階４０１においては、段階２０１及び２０３で考慮された特徴の一部又は全ての各々について、群としてみられる、各々の広告のメディアコンテンツアイテムに対する類似性が指標化される。広告は、その場合、段階４０３において配信のために選択されることが可能である。
【００３４】
段階３０３について上記したように、段階４０３においては、最も大きい数の特徴についての最も大きい類似性を有する広告が選択されることが可能である。代替として、一部の又は全ての特徴における各々の広告の類似性が、複合類似性に組み合わされることが可能であり、最も大きい複合類似性を有する広告が選択されることが可能である。他の代替の実施形態においては、類似性基準に適合する複数の広告が特定されることが可能であり、複数の一が配信のために選択されることが可能である。
【００３５】
段階４０１において生成された類似性の指標は、カテゴリで又は数値で表されることが可能である。類似性の指標を生成するように、各々の特徴が順に考慮され、段階４０５において示されているように、各々の個別のメディアコンテンツアイテムに対する広告の類似性が特徴について演算されることが可能である。段階４０７においては、演算された個別の特徴の類似性が、次いで、特徴についてのメディアコンテンツアイテムに対する広告の類似性の指標を生成するように組み合わされることが可能である。段階３０７について上記したように、個別の特徴の類似性が、段階４０７において算術的に、ファジー論理により又は他の技術により組み合わされることが可能であり、比較についての記憶されているユーザプロファイル又は文脈にしたがって重み付けされることが可能である。
【００３６】
図５は、配信のために広告を選択するために必要な比較の数を減少させるように、処理３００か又は４００のどちらかの前に実行されることが可能である例示としての処理５００を示している。メディアコンテンツアイテムが最も大きい共通性を示す１つ又はそれ以上の重要な特徴が特定されることが可能である。次いで、図３に示す、処理３００に類似する処理において、個別の広告と個別のメディアコンテンツアイテムとの間の類似性が、ユーザ１０３への配信のために選択される広告及び重要な特徴のみについて指標化されることが可能である。代替として、図４に示す、処理４００に類似する処理において、群としてみられる、個別の広告と段階２０１において考慮されたメディアコンテンツアイテムとの間の類似性が、測定された類似性にしたがって選択された広告及び重要な特徴のみについて指標化されることが可能である。
【００３７】
段階５０１においては、メディアコンテンツアイテムの共通性が各々の特徴について指標化される。段階３０１及び４０１の類似性の測定と同様に、それらの共通性の指標は、カテゴリで又は数値で表されることが可能である。特徴についての共通性測定は、次いで、段階５０３において、１つ又はそれ以上の重要な特徴を選択するように比較されることが可能である。選択された重要な特徴は、共通性指標が所定の閾値のカテゴリ又は数値を上回るものであることが可能である。各々の特徴の共通性指標は、閾値に対する比較の前に重み付けされることが可能である。適用される重み付け係数は、ユーザ１０３について記憶されているプロファイルから取られることが可能である。
【００３８】
段階２０５における配信のための広告の選択についての他の例示としての処理６００を、図６に示している。この処理においては、メディアコンテンツアイテムの群を表す特徴値を有する‘仮想’メディアコンテンツアイテムが生成される。図３に示す処理３００に類似する処理において、広告は、ユーザ１０３への配信のために広告を選択するように、‘仮想’メディアコンテンツアイテムのみと比較されることが可能である。そのような処理は、各々の広告が段階３０１において考慮された複数のメディアコンテンツアイテムではなく、単一のメディアコンテンツアイテムのみと比較されることを必要とする。それ故、その処理は、処理３００より、広告を選択するのに少ない比較を必要とする。
【００３９】
段階６０１においては、複合特徴値は各々の特徴について決定され、段階２０１で考慮されたメディアコンテンツアイテム全てについての特徴の値を表している。複合特徴値は、次いで、‘仮想’メディアコンテンツアイテムを生成するように段階６０３において、組み合わされることが可能である。特徴の値が数値で表される場合、その複合特徴値は単純な算術平均であることが可能である。特徴の類似性がカテゴリで表される場合、複合特徴値は、当該技術分野で既知であるように、ファジー論理アルゴリズムにより生成されることが可能である。
【００４０】
段階６０５においては、次いで、‘仮想’メディアコンテンツアイテムに対する各々の広告の類似性が、段階３０１について上記したものと類似して、指標化される。広告は、その場合、段階６０７において、段階３０３について上記したものと類似する技術により選択されることが可能である。段階６０５の一実施形態においては、‘仮想’メディアコンテンツアイテムに対する広告の類似性が、段階３０５及び３０７について上記されたものと類似して、段階６０９及び６１１において演算されることが可能である。
【００４１】
本発明については、メディアコンテンツ及び広告配信システムの例示としての実施例に関して詳述したが、当業者は、放送の形で本発明の範囲及び主旨から逸脱することなく、多様な変形、代替及び変更を行うことが可能であることを理解する必要がある。
【図面の簡単な説明】
【００４２】
【図１】ユーザに広告を配信するための例示としてのシステムのブロック図である。
【図２】本発明の一実施形態にしたがった、ユーザへの広告の選択及び配信の作動を示すフロー図である。
【図３】本発明の例示としての実施形態にしたがった、ユーザへの広告の選択作動を示すフロー図である。
【図４】本発明の他の例示としての実施形態にしたがった、ユーザへの広告の選択作動を示すフロー図である。
【図５】本発明の他の例示としての実施形態にしたがった、ユーザへの広告の選択作動を示すフロー図である。
【図６】本発明の他の例示としての実施形態にしたがった、ユーザへの広告の選択作動を示すフロー図である。
【図１】
2008523439.tif 000003
【図２】
2008523439.tif 000004
【図３】
2008523439.tif 000005
【図４】
2008523439.tif 000006
【図５】
2008523439.tif 000007
【図６】
2008523439.tif 000008
【国際調査報告】
2008523439.tif 000009
2008523439.tif 000010